(57)【要約】【課題】連結部材の連結部分に大きな抜き方向の外力が作用しても容易に抜け出ることがないようにする。【解決手段】端部の内側角を全周にわたって面取り４し、端部の内周面に、段状に凹ますと共に、この凹まし面に奥側が入口部より幅を広くした連結溝６を設けた凹部５を周方向に設けたコンクリート製の水路ブロック２と、端面を対向させた上記水路ブロック相互の凹部内に嵌合する幅になっていると共に、一面側に上記水路ブロックの各凹部に設けた連結溝に嵌合し、かつ先端部を根元部より幅を広くした連結突条７と、両水路ブロックの対向する面取り部に入り込む可撓突条８，８ａとを設け、さらに上記連結突条に他面側に開口する係合溝９を設けて可撓部材にて帯状に形成した連結部材３と、連結部材の係合溝に圧入嵌合する係合片１０とからなる構成にした。【選択図】図３
2009046834.tif 000002
【特許請求の範囲】
【請求項１】
端部の内側角を全周にわたって面取りし、端部の内周面に、段状に凹ますと共に、この凹まし面に奥側が入口部より幅を広くした連結溝を設けた凹部を周方向に設けたコンクリート製の水路ブロックと、
端面を対向させた上記水路ブロック相互の凹部内に嵌合する幅になっていると共に、一面側に上記水路ブロックの各凹部に設けた連結溝に嵌合し、かつ先端部を根元部より幅を広くした連結突条と、両水路ブロックの対向する面取り部に入り込む可撓突条とを設け、さらに上記連結突条に他面側に開口する係合溝を設けて可撓部材にて帯状に形成した連結部材と、
連結部材の係合溝に圧入嵌合する係合片とからなることを特徴とするコンクリート水路の連結構造。
【発明の詳細な説明】
【技術分野】
【０００１】
本発明は、コンクリート製の水路ブロックを可撓性を有する連結部材にて連結するコンクリート水路の連結構造に関するものである。
【背景技術】
【０００２】
従来のこの種の連結構造は、水路ブロックの水路方向両側の端面より奥側の内周面に周方向に連続する定着溝を形成し、一面側に上記定着溝に係合するアンカを設けた止水ゴムを、これの各アンカを上記各定着溝に係合することにより隣接する水路ブロックを止水ゴムにて連結するようにしている（例えば、特許文献１参照）。
【０００３】
【特許文献１】特許第３５９７５０６号公報
【発明の開示】
【発明が解決しようとする課題】
【０００４】
上記した従来のコンクリート水路の連結構造にあっては、止水ゴムのアンカは水路ブロックの定着溝に打ち込むことにより定着するようになっていたため、このアンカにアンカリップを設けたにしても、このアンカ部分に抜け方向の外力が作用したときに抜けやすいという問題があった。
【０００５】
本発明はこのことに鑑みなされたもので、連結部材の連結部分に大きな抜き方向の外力が作用しても連結部材が水路ブロックの連結部より容易に抜け出ることがないようにしたコンクリート水路の連結構造を提供しようとするものである。
【課題を解決するための手段】
【０００６】
上記目的を達成するために、本発明に係るコンクリート水路の連結構造は、端部の内側角を全周にわたって面取りし、端部の内周面に、段状に凹ますと共に、この凹まし面に奥側が入口部より幅を広くした連結溝を設けた凹部を周方向に設けたコンクリート製の水路ブロックと、端面を対向させた上記水路ブロック相互の凹部内に嵌合する幅になっていると共に、一面側に上記水路ブロックの各凹部に設けた連結溝に嵌合し、かつ先端部を根元部より幅を広くした連結突条と、両水路ブロックの対抗する面取り部に入り込む可撓突条とを設け、さらに上記連結突条に他面側に開口する係合溝を設けた可撓部材にて帯状に形成した連結部材と、連結部材の係合溝に圧入嵌合する係合片とからなる構成になっている。
【発明の効果】
【０００７】
本発明によれば、水路ブロックの連結溝と連結部材の連結突条とが、連結溝の奥側を入口部より幅を広くした連結溝と、先端部を根元部より幅を広くした連結突条とが係合することにより、かつ上記連結突条の内側に係止片が圧入されて、この連結突条が拡幅変形されることにより、水路ブロックの連結溝と連結部材の連結突条とを強固に連結することができ、連結部材にこれの上記連結突条が抜け出される方向の外力が作用しても容易に抜け出ることがなく、連結部材としての機能を長時間にわたって果たすことができる。
【発明を実施するための最良の形態】
【０００８】
本発明の第１の実施の形態を図１から図３に基づいて説明する。図１はコンクリート水路の連結部を示す斜視図、図２は図１のＸ−Ｘ線に沿う連結部の拡大断面図、図３は連結部の分解断面図である。
【０００９】
図中１はコンクリートにて成形してなる複数の水路ブロック２を連結部材３にて連結してなるコンクリート水路である。このコンクリート水路１を構成する水路ブロック２は、一例としてとい状のものが用いられており、この各水路ブロック２の水路方向両側端面の内側部には面取り４が形成されている。
【００１０】
また水路ブロック２の内側面で、かつ水路方向両側の端面より奥側には、水路ブロック２の内側全周にわたって段状に凹ませた凹部５が設けてある。そしてこの凹部５には、凹部５の幅方向で、凹部５の奥側端から所定の寸法Ａの位置に連結溝６が凹部５の全長にわたって設けてある。
【００１１】
上記連結溝６の幅形状は、これの深さ方向の入口部に対して奥側が段状に広くなっていると共に、その先端側が狭くなっていて、これの奥部に入口部より幅が広くなっている台形状穴６ａが形成されている。
【００１２】
連結部材３は、水路ブロック２の凹部５の深さと略同一の厚さになっている。そしてこの連結部材３は、対向方向に若干の隙間Ｂをあけて隣接する水路ブロック２，２の対向する双方の凹部５，５の奥側端間の寸法Ｃとなる幅にした帯状になっている。
【００１３】
この連結部材３の一側面（裏側面）で、幅方向両端から上記水路ブロック２の連結溝６と同じ寸法Ａの位置に上記連結溝６に嵌合する連結突条７が連結部材３の全長にわたって設けてある。この連結突条７の外側の形状は、上記水路ブロック２の連結溝６の内側の形状と同一になっていて、これの先端部に根元部より幅を広くした台形状部７ａが設けてある。
【００１４】
また連結部材３の一側面で、かつ幅方向中央に可撓突条８が連結部材３の全長にわたって設けてある。この可撓突条８の断面形状は、連結部材３の厚さのままでΩ状に膨出した形状になっていて、幅方向に容易に弾性変形するようになっている。この可撓突条８の大きさは、これの外周面が隙間Ｂをあけて隣接する水路ブロック２，２の対向する面取り４，４の周面に接触する大きさになっている。
【００１５】
連結部材３の両連結突条７には、連結部材３の他側面（表側面）に開口する係合溝９が連結部材３の全長にわたって設けてある。この係合溝９は開口幅より深さ寸法を大きくした断面矩形状になっている。
【００１６】
上記係合溝９には、これの全長にわたって係合片１０が圧入によって嵌合されるようになっている。この係合片１０は紐状になっていて、これの断面形状は係合溝９の幅よりわずかに広い幅となった矩形状になっており、これの先端の両側には係合溝９に入りやすいように面取りされている。
【００１７】
上記構成における連結部材３は、可撓性を有するゴム材にて構成されている。また係合片１０は可撓性を有するが、連結部材３の構成材料より硬い材料、例えば塩化ビニールにて構成されている。
【００１８】
上記構成において、コンクリート水路１を構成する水路ブロック２は、図３に示すように隣接するもの相互の端面間に隙間Ｂをあけて配置される。そしてこの両水路ブロック２，２の対向する両凹部５，５に、この両凹部５，５の連結溝６に連結突条７，７を嵌合して連結部材３を装着する。この状態で連結部材３の可撓突条８は対向する水路ブロック２，２の面取り４の対向間に入り込む。
【００１９】
また、このときの連結溝６と連結突条７との嵌合は、連結溝６の奥部に形成された台形状穴６ａに連結突条７の先端部に形成された台形状部７ａが抜け出る方向に係合される。
【００２０】
ついで連結部材３の両連結突条７，７の他面側に設けたそれぞれの係合溝９，９に係合片１０，１０を圧入することにより図２に示すように両水路ブロック２，２は連結部材３にて連結される。
【００２１】
このときにおいて、連結部材３の連結突条７の内側に設けられた係合溝９内に係合片１０が圧入されることにより、連結突条７は拡幅変形されて、これの両側の形状、すなわち連結突条７の台形状部７ａが連結溝６の台形状穴６ａに密に係合するように変形され、連結部材３は隣接する水路ブロック２，２の端部に、上記連結突条７が抜け出る方向に大きな力が作用しても容易に抜け出ることなく装着される。
【００２２】
上記のようにして連結された水路ブロック２，２の相互間において、隙間Ｂの多少の変化及び両水路ブロック２，２の水路方向に対するずれが生じた場合には、連結部材３の可撓突条８の変形により吸収される。
【００２３】
図４は本発明の第２の実施の形態を示すもので、この実施の形態では連結部材３ａの可撓突条８ａの突出形状を隣接する水路ブロック２，２の対向面の面取り４，４に当接する台形状に形成されており、この可撓突条８ａの幅方向中間に連結部材３ａの他面側から溝１１が設けてあり、この溝１１により可撓突条８ａが可撓作用できるようにした構成になっている。他の部分は第１の実施の形態と同一である。
【００２４】
この実施の形態によれば、対向する水路ブロック双方の面取り部に対向する部分が台形断面となっていることにより、水圧が作用する水路ブロック間における部分の剛性をもたせることができて、水圧などの影響に対し抜け難くすることができる。そしてこの部分に溝１１があることにより水路ブロックが変位したときにも追随性を確保することができる。
【００２５】
上記した両実施の形態では水路ブロック２の連結溝６と連結部材３，３ａの連結突条７の嵌合形状を、入口部より幅を広くした台形状穴６ａと根元部より幅を広くした台形状部７ａとしたが、この部分の嵌合形状は図５に示すように、連結溝６´の断面形状を入口部より奥側を広くした逆テーパ状にし、連結突条７´の断面形状を上記連結溝６´と同形で先端部を根元部より広くした逆テーパ状にして、連結溝６´に連結突条７´を圧入するようにしてもよい。
【００２６】
このようにすることにより、連結溝６´と連結突条７´とは逆テーパ結合となり、この状態で連結突条７´の係合溝９に係合片１０を圧入することにより、この連結溝６´と連結突条７´とは容易に抜け出ることなく係合することができる。
【００２７】
上記した両実施の形態ではとい状の水路ブロック２を用いた例について説明したが、この水路ブロックはＵ字形ブロック、ボックスカルバートであってもよいことはいうまでもない。そして連結部材３，３ａ及び係合片１０はこれら水路ブロックのサイズに応じた大きさ及び長さのものが用いられる。
【図面の簡単な説明】
【００２８】
【図１】本発明の第１の実施の形態を示す斜視図である。
【図２】図１のＸ−Ｘ線に沿う拡大断面図である。
【図３】連結部材による連結部の分解断面図である。
【図４】本発明の第２の実施の形態を示す断面図である。
【図５】連結溝と連結突条の係合形状の他例を示す分解断面図である。
【符号の説明】
【００２９】
１…コンクリート水路、２…水路ブロック、３，３ａ…連結部材、４…面取り、５…凹部、６，６´…連結溝、６ａ…台形状穴、７，７´…連結突条、７ａ…台形状部、８，８ａ…可撓突条、９…係合溝、１０…係合片。
【図１】
2009046834.tif 000003
【図２】
2009046834.tif 000004
【図３】
2009046834.tif 000005
【図４】
2009046834.tif 000006
【図５】
2009046834.tif 000007